(57)【要約】【課題】有効なチャンネルを一覧表示し、簡易な操作で現在放送中の所望の編成チャンネルを視聴し得る電子機器を提供する。【解決手段】全編成チャンネル、又はユーザに選択させた放送局の各編成チャンネルのチャンネル番号をチャンネル記憶手段１８４から読み出し、当該チャンネル番号のうち現在放送中のチャンネル番号を特定して一覧表示し、この一覧表示されたチャンネル番号の中からユーザ操作に従って択一的にチャンネル番号を選択させるようにした。【選択図】図２
2005328159.tif 000002
【特許請求の範囲】
【請求項１】
放送局及びその放送局の編成チャンネルを指定する複数桁で成るチャンネル番号が入力されることで、指定された放送局の編成チャンネルのデジタルテレビ放送波を受信する電子機器において、
各放送局の各編成チャンネルのチャンネル番号を記憶するチャンネル記憶手段と、
ユーザ操作に従って放送局を選択する放送局選択手段と、
この放送局選択手段により選択された放送局の各編成チャンネルのチャンネル番号を前記チャンネル記憶手段から読み出し表示する制御を行う表示制御手段と、
この表示制御手段により表示されたチャンネル番号の中からユーザ操作に従って択一的にチャンネル番号を選択する番号選択手段と、
この番号選択手段により選択されたチャンネル番号によって指定される放送局の編成チャンネルのデジタルテレビ放送波を受信する受信手段と、
を備えることを特徴とする電子機器。
【請求項２】
日時データに対応づけて当該日時に放送される各編成チャンネルのチャンネル番号を記憶する放送時間記憶手段を更に備え、
前記表示制御手段は、前記放送局選択手段により選択された放送局の各編成チャンネルのうち現在放送されている編成チャンネルのチャンネル番号を前記放送時間記憶手段から読み出して表示する制御を行う手段である、
ことを特徴とする請求項１に記載の電子機器。
【請求項３】
前記チャンネル記憶手段は、更に、地域別に当該地域で放送されている各放送局の各編成チャンネルのチャンネル番号を当該地域の地域識別情報と対応づけて記憶する手段であり、
ユーザにより入力された地域識別情報を記憶する地域記憶手段を更に備え、
前記表示制御手段は、前記地域記憶手段により記憶されている地域識別情報に対応づけて前記チャンネル記憶手段に記憶されているチャンネル番号であって、前記放送局選択手段により選択された放送局の各編成チャンネルのチャンネル番号を表示する制御を行う手段である、
ことを特徴とする請求項１又は２に記載の電子機器。
【請求項４】
前記チャンネル記憶手段は、更に、地域別に当該地域で放送されている各放送局の各編成チャンネルのチャンネル番号を当該地域の地域識別情報と対応づけて記憶する手段であり、
位置を表す位置情報からその位置における地域識別情報を求めることのできる第１のサーバと所定の通信回線を介して通信する第１の通信手段と、
自機の現在位置を取得する位置取得手段と、
前記第１の通信手段に前記第１のサーバとの間で通信を行わせ、前記位置取得手段により取得された現在位置に対応する地域識別情報を受信して記憶する地域記憶手段と、
を更に備え、
前記表示制御手段は、前記地域記憶手段により記憶されている地域識別情報に対応づけて前記チャンネル記憶手段に記憶されているチャンネル番号であって、前記放送局選択手段により選択された放送局の各編成チャンネルのチャンネル番号を表示する制御を行う手段である、
ことを特徴とする請求項１又は２に記載の電子機器。
【請求項５】
放送局及びその放送局の編成チャンネルを指定する複数桁で成るチャンネル番号が入力されることで、指定された放送局の編成チャンネルのデジタルテレビ放送波を受信する電子機器において、
地域識別情報と、当該地域で放送されている各放送局の各編成チャンネルのチャンネル番号とを対応づけて記憶するチャンネル記憶手段と、
ユーザにより入力された地域識別情報を記憶する地域記憶手段と、
この地域記憶手段により記憶されている地域識別情報に対応づけて前記チャンネル記憶手段に記憶されているチャンネル番号を表示する制御を行う表示制御手段と、
この表示制御手段により表示されたチャンネル番号の中からユーザ操作に従って択一的にチャンネル番号を選択する番号選択手段と、
この番号選択手段により選択されたチャンネル番号によって指定される放送局の編成チャンネルのデジタルテレビ放送波を受信する受信手段と、
を備えることを特徴とする電子機器。
【請求項６】
放送局及びその放送局の編成チャンネルを指定する複数桁で成るチャンネル番号が入力されることで、指定された放送局の編成チャンネルのデジタルテレビ放送波を受信する電子機器において、
地域識別情報と、当該地域で放送されている各放送局の各編成チャンネルのチャンネル番号とを対応づけて記憶するチャンネル記憶手段と、
位置を表す位置情報からその位置における地域識別情報を求めることのできる第１のサーバと所定の通信回線を介して通信する第１の通信手段と、
自機の現在位置を取得する位置取得手段と、
前記第１の通信手段に前記第１のサーバとの間で通信を行わせ、前記位置取得手段により取得された現在位置に対応する地域識別情報を受信して記憶する地域記憶手段と、
この地域記憶手段により記憶されている地域識別情報に対応づけて前記チャンネル記憶手段に記憶されているチャンネル番号を表示する制御を行う表示制御手段と、
この表示制御手段により表示されたチャンネル番号の中からユーザ操作に従って択一的にチャンネル番号を選択する番号選択手段と、
この番号選択手段により選択されたチャンネル番号によって指定される放送局の編成チャンネルのデジタルテレビ放送波を受信する受信手段と、
を備えることを特徴とする電子機器。
【請求項７】
全国の地域別に当該地域で放送されている各放送局の各編成チャンネルのチャンネル番号を当該地域の地域識別情報と対応づけて記憶している第２のサーバと所定の通信回線を介して通信する第２の通信手段と、
前記地域記憶手段により記憶されている地域識別情報に対応する各編成チャンネルのチャンネル番号が前記チャンネル記憶手段に記憶されていない場合に、前記第２の通信手段に前記第２のサーバとの間で通信を行わせ、前記記憶された地域識別情報に対応する各編成チャンネルのチャンネル番号を受信して前記チャンネル記憶手段に追加する制御を行う記憶内容追加制御手段と、
を更に備えることを特徴とする請求項３〜６の何れか一項に記載の電子機器。
【請求項８】
デジタルテレビ放送を受信可能なコンピュータに、
各放送局の各編成チャンネルのチャンネル番号を記憶するチャンネル記憶機能と、
ユーザ操作に従って放送局を選択する放送局選択機能と、
この放送局選択機能により選択された放送局の各編成チャンネルのチャンネル番号を前記チャンネル記憶機能により記憶されているチャンネル番号の中から読み出し表示する制御を行う表示制御機能と、
この表示制御機能により表示されたチャンネル番号の中からユーザ操作に従って択一的にチャンネル番号を選択する番号選択機能と、
この番号選択機能により選択されたチャンネル番号によって指定される放送局の編成チャンネルのデジタルテレビ放送波を受信する受信機能と、
を実現させるためのプログラム。
【請求項９】
デジタルテレビ放送波を受信可能なコンピュータに、
地域識別情報と、当該地域で放送されている各放送局の各編成チャンネルのチャンネル番号とを対応づけて記憶するチャンネル記憶機能と、
ユーザにより入力された地域識別情報を記憶する地域記憶機能と、
この地域記憶機能により記憶されている地域識別情報に対応づけて前記チャンネル記憶機能により記憶されているチャンネル番号を表示する制御を行う表示制御機能と、
この表示制御機能により表示されたチャンネル番号の中からユーザ操作に従って択一的にチャンネル番号を選択する番号選択機能と、
この番号選択機能により選択されたチャンネル番号によって指定される放送局の編成チャンネルのデジタルテレビ放送波を受信する受信機能と、
を実現させるためのプログラム。
【請求項１０】
デジタルテレビ放送波を受信可能なコンピュータに、
地域識別情報と、当該地域で放送されている各放送局の各編成チャンネルのチャンネル番号とを対応づけて記憶するチャンネル記憶機能と、
位置を表す位置情報からその位置における地域識別情報を求めることのできる第１のサーバと所定の通信回線を介して通信する第１の通信機能と、
自機の現在位置を取得する位置取得機能と、
前記第１の通信機能に前記第１のサーバとの間で通信を行わせ、前記位置取得機能により取得された現在位置に対応する地域識別情報を受信して記憶する地域記憶機能と、
この地域記憶機能により記憶されている地域識別情報に対応づけて前記チャンネル記憶機能により記憶されているチャンネル番号を表示する制御を行う表示制御機能と、
この表示制御機能により表示されたチャンネル番号の中からユーザ操作に従って択一的にチャンネル番号を選択する番号選択機能と、
この番号選択機能により選択されたチャンネル番号によって指定される放送局の編成チャンネルのデジタルテレビ放送波を受信する受信機能と、
を実現させるためのプログラム。
【発明の詳細な説明】
【技術分野】
【０００１】
本発明は、放送局及びその放送局の編成チャンネルを指定する複数桁で成るチャンネル番号が入力されることで、指定された放送局の編成チャンネルのデジタルテレビ放送波を受信する電子機器及びプログラムに関する。
【背景技術】
【０００２】
昨今、わが国でも地上波デジタル放送サービスが開始され、これに前後して当該放送サービス（以下、単に地上波デジタル放送と呼ぶ。）に対応した種々の受像機（以下、地上波デジタルテレビと呼ぶ。）が製品化されている。
【０００３】
この地上波デジタル放送においては、サービス全体用に割当てられた幅３００ＭＨｚ程の周波数帯域を５０程の周波数帯域（放送チャンネル）に分割し、放送チャンネルそれぞれが各放送局に割当てられる。そして各放送局はこの帯域幅にして６ＭＨｚ程の１放送チャンネルを１４分割（それぞれ１つをセグメントと呼ぶ。）したうちの１３セグメントまでを適宜必要数使用して（残り１セグメントは隣接放送チャンネルの放送波との混信を避けるための隙間とされる）、１放送局が１放送チャンネルの中で複数の放送波を送信し、即ち１放送局が同時に複数の放送サービス（以下、編成チャンネルと呼ぶ。）を提供し得るようになされている。
【０００４】
従って、放送局それぞれが同時に複数の放送サービスを提供することにより、放送局数以上の放送サービスが同時に提供されるようになる。
【０００５】
そこで地上波デジタル放送においては、放送局に対応する親番号及びその親番号配下の枝番号による３桁の数字で構成されるチャンネル番号を用いて各放送局の各編成チャンネルを識別する番号体系が導入される予定である。
【０００６】
例えば、チャンネル番号１に係る放送局が、親番号「１」に対応する編成チャンネル（以下、親チャンネルと呼ぶ。）である１０１チャンネルと、親チャンネル配下の２つの編成チャンネル（以下、枝チャンネルと呼ぶ。）である１０２及び１０３チャンネルとの３編成チャンネルでなる放送サービスを提供する、といったような当該番号体系である。
【０００７】
このような多チャンネル化を背景に、電源投入時等の初期設定時にチャンネルオートサーチを開始し、放送があるチャンネルのアナログ放送かデジタル放送かを記憶しておき、これをユーザのチャンネル指定操作に応じて読み出して、アナログ放送かデジタル放送かに応じてアナログ復調出力又はデジタル復調出力を選択的に行う技術等が提案されている（例えば、特許文献１参照）。
【特許文献１】特開２００１−２３０６８９号公報
【発明の開示】
【発明が解決しようとする課題】
【０００８】
しかしながら、桁数の多いチャンネル番号を指定する操作方法は、チャンネル番号を直接入力する方法のように、操作ステップが多く、また、チャンネル番号をユーザが記憶しておかねばならない等の煩わしさをユーザに強いるものばかりである。また、放送チャンネルのチャンネル編成は放送局が随時変更し得、時々刻々変動し得るので、直接入力したチャンネル番号が必ずしも有効（所望の又は何らかの放送が行われている）とは限らない。
【０００９】
本発明は以上の点を考慮してなされたもので、有効な編成チャンネルを一覧表示し、簡易な操作で現在放送中の所望の編成チャンネルを視聴し得る電子機器を提供することを目的としている。
【課題を解決するための手段】
【００１０】
かかる課題を解決するため請求項１に記載の電子機器（例えば、図１の携帯電話機１）においては、
放送局及びその放送局の編成チャンネルを指定する複数桁で成るチャンネル番号が入力されることで、指定された放送局の編成チャンネルのデジタルテレビ放送波を受信する電子機器において、
各放送局の各編成チャンネルのチャンネル番号を記憶するチャンネル記憶手段（例えば、図５のチャンネル枠情報テーブル１８４）と、
ユーザ操作に従って放送局を選択する放送局選択手段（例えば、図１の数字キー部５ａ）と、
この放送局選択手段により選択された放送局の各編成チャンネルのチャンネル番号を前記チャンネル記憶手段から読み出し表示する制御を行う表示制御手段（例えば、図２のＣＰＵ１０；図１５のステップＢ６６及びＢ６７）と、
この表示制御手段により表示されたチャンネル番号の中からユーザ操作に従って択一的にチャンネル番号を選択する番号選択手段（例えば、図２のＣＰＵ１０；図１７のステップＢ８１〜Ｂ８５）と、
この番号選択手段により選択されたチャンネル番号によって指定される放送局の編成チャンネルのデジタルテレビ放送波を受信する受信手段（例えば、図２のＴＶ回路部１６）と、
を備えることを特徴とする。
【００１１】
また、請求項２に記載の電子機器は、請求項１に記載の電子機器において、
日時データに対応づけて当該日時に放送される各編成チャンネルのチャンネル番号を記憶する放送時間記憶手段（例えば、図３のＥＰＧテーブル１８２）を更に備え、
前記表示制御手段は、前記放送局選択手段により選択された放送局の各編成チャンネルのうち現在放送されている編成チャンネルのチャンネル番号を前記放送時間記憶手段から読み出して表示する制御を行う手段（例えば、図２のＣＰＵ１０；図１５のステップＢ６３〜Ｂ６７）である、
ことを特徴とする。
【００１２】
また、請求項３に記載の電子機器は、請求項１又は２に記載の電子機器において、
前記チャンネル記憶手段は、更に、地域別に当該地域で放送されている各放送局の各編成チャンネルのチャンネル番号を当該地域の地域識別情報と対応づけて記憶する手段であり、
ユーザにより入力された地域識別情報を記憶する地域記憶手段（例えば、図２のＣＰＵ１０；図９のステップＡ７７）を更に備え、
前記表示制御手段は、前記地域記憶手段により記憶されている地域識別情報に対応づけて前記チャンネル記憶手段に記憶されているチャンネル番号であって、前記放送局選択手段により選択された放送局の各編成チャンネルのチャンネル番号を表示する制御を行う手段（例えば、図２のＣＰＵ１０；図１５のステップＢ６１〜Ｂ６７）である、
ことを特徴とする。
【００１３】
また、請求項４に記載の電子機器は、請求項１又は２に記載の電子機器において、
前記チャンネル記憶手段は、更に、地域別に当該地域で放送されている各放送局の各編成チャンネルのチャンネル番号を当該地域の地域識別情報と対応づけて記憶する手段であり、
位置を表す位置情報からその位置における地域識別情報を求めることのできる第１のサーバ（例えば、図６の地域コードサーバ９５）と所定の通信回線を介して通信する第１の通信手段（例えば、図２の電話回路部１３）と、
自機の現在位置を取得する位置取得手段（例えば、図２のＧＰＳ１４）と、
前記第１の通信手段に前記第１のサーバとの間で通信を行わせ、前記位置取得手段により取得された現在位置に対応する地域識別情報を受信して記憶する地域記憶手段（例えば、図２のＣＰＵ１０；図９のステップＡ７９）と、
を更に備え、
前記表示制御手段は、前記地域記憶手段により記憶されている地域識別情報に対応づけて前記チャンネル記憶手段に記憶されているチャンネル番号であって、前記放送局選択手段により選択された放送局の各編成チャンネルのチャンネル番号を表示する制御を行う手段（例えば、図２のＣＰＵ１０；図１５のステップＢ６１〜Ｂ６７）である、
ことを特徴とする。
【００１４】
また、請求項５に記載の電子機器（例えば、図１の携帯電話機１）においては、
放送局及びその放送局の編成チャンネルを指定する複数桁で成るチャンネル番号が入力されることで、指定された放送局の編成チャンネルのデジタルテレビ放送波を受信する電子機器において、
地域識別情報と、当該地域で放送されている各放送局の各編成チャンネルのチャンネル番号とを対応づけて記憶するチャンネル記憶手段（例えば、図５のチャンネル枠情報テーブル１８４）と、
ユーザにより入力された地域識別情報を記憶する地域記憶手段（例えば、図２のＣＰＵ１０；図９のステップＡ７７）と、
この地域記憶手段により記憶されている地域識別情報に対応づけて前記チャンネル記憶手段に記憶されているチャンネル番号を表示する制御を行う表示制御手段（例えば、図２のＣＰＵ１０；図１６のステップＢ７１〜Ｂ７７）と、
この表示制御手段により表示されたチャンネル番号の中からユーザ操作に従って択一的にチャンネル番号を選択する番号選択手段（例えば、図２のＣＰＵ１０；図１７のステップＢ８１〜Ｂ８５）と、
この番号選択手段により選択されたチャンネル番号によって指定される放送局の編成チャンネルのデジタルテレビ放送波を受信する受信手段（例えば、図２のＴＶ回路部１６）と、
を備えることを特徴とする。
【００１５】
また、請求項６に記載の電子機器（例えば、図１の携帯電話機１）においては、
放送局及びその放送局の編成チャンネルを指定する複数桁で成るチャンネル番号が入力されることで、指定された放送局の編成チャンネルのデジタルテレビ放送波を受信する電子機器において、
地域識別情報と、当該地域で放送されている各放送局の各編成チャンネルのチャンネル番号とを対応づけて記憶するチャンネル記憶手段（例えば、図５のチャンネル枠情報テーブル１８４）と、
位置を表す位置情報からその位置における地域識別情報を求めることのできる第１のサーバ（例えば、図６の地域コードサーバ９５）と所定の通信回線を介して通信する第１の通信手段（例えば、図２の電話回路部１３）と、
自機の現在位置を取得する位置取得手段（例えば、図２のＧＰＳ１４）と、
前記第１の通信手段に前記第１のサーバとの間で通信を行わせ、前記位置取得手段により取得された現在位置に対応する地域識別情報を受信して記憶する地域記憶手段（例えば、図２のＣＰＵ１０；図９のステップＡ７９）と、
この地域記憶手段により記憶されている地域識別情報に対応づけて前記チャンネル記憶手段に記憶されているチャンネル番号を表示する制御を行う表示制御手段（例えば、図２のＣＰＵ１０；図１６のステップＢ７１〜Ｂ７７）と、
この表示制御手段により表示されたチャンネル番号の中からユーザ操作に従って択一的にチャンネル番号を選択する番号選択手段（例えば、図２のＣＰＵ１０；図１７のステップＢ８１〜Ｂ８５）と、
この番号選択手段により選択されたチャンネル番号によって指定される放送局の編成チャンネルのデジタルテレビ放送波を受信する受信手段（例えば、図２のＴＶ回路部１６）と、
を備えることを特徴とする。
【００１６】
また、請求項７に記載の電子機器は、請求項３〜６の何れか一項に記載の電子機器において、
全国の地域別に当該地域で放送されている各放送局の各編成チャンネルのチャンネル番号を当該地域の地域識別情報と対応づけて記憶している第２のサーバ（例えば、図６のチャンネル枠情報サーバ９６）と所定の通信回線を介して通信する第２の通信手段（例えば、図２の電話回路部１３）と、
前記地域記憶手段により記憶されている地域識別情報に対応する各編成チャンネルのチャンネル番号が前記チャンネル記憶手段に記憶されていない場合に、前記第２の通信手段に前記第２のサーバとの間で通信を行わせ、前記記憶された地域識別情報に対応する各編成チャンネルのチャンネル番号を受信して前記チャンネル記憶手段に追加する制御を行う記憶内容追加制御手段（例えば、図２のＣＰＵ１０；図１５のステップＢ６１及びＢ６２、図１６のステップＢ７１及びＢ７２）と、
を更に備えることを特徴とする。
【００１７】
また、請求項８に記載のプログラムにおいては、
デジタルテレビ放送を受信可能なコンピュータ（例えば、図２のＣＰＵ１０）に、
各放送局の各編成チャンネルのチャンネル番号を記憶するチャンネル記憶機能（例えば、図５のチャンネル枠情報テーブル１８４）と、
ユーザ操作に従って放送局を選択する放送局選択機能（例えば、図１３のステップＢ１３、Ｂ２１、Ｂ２２及びＢ２６）と、
この放送局選択機能により選択された放送局の各編成チャンネルのチャンネル番号を前記チャンネル記憶機能により記憶されているチャンネル番号の中から読み出し表示する制御を行う表示制御機能（例えば、図１５のステップＢ６６及びＢ６７）と、
この表示制御機能により表示されたチャンネル番号の中からユーザ操作に従って択一的にチャンネル番号を選択する番号選択機能（例えば、図１７のステップＢ８１〜Ｂ８５）と、
この番号選択機能により選択されたチャンネル番号によって指定される放送局の編成チャンネルのデジタルテレビ放送波を受信する受信機能（例えば、図１７のステップＢ８６）と、
を実現させることを特徴とする。
【００１８】
また、請求項９に記載のプログラムにおいては、
デジタルテレビ放送波を受信可能なコンピュータ（例えば、図２のＣＰＵ１０）に、
地域識別情報と、当該地域で放送されている各放送局の各編成チャンネルのチャンネル番号とを対応づけて記憶するチャンネル記憶機能（例えば、図５のチャンネル枠情報テーブル１８４）と、
ユーザにより入力された地域識別情報を記憶する地域記憶機能（例えば、図９のステップＡ７７）と、
この地域記憶機能により記憶されている地域識別情報に対応づけて前記チャンネル記憶機能により記憶されているチャンネル番号を表示する制御を行う表示制御機能（例えば、図１６のステップＢ７１〜Ｂ７７）と、
この表示制御機能により表示されたチャンネル番号の中からユーザ操作に従って択一的にチャンネル番号を選択する番号選択機能と（例えば、図１７のステップＢ８１〜Ｂ８５）、
この番号選択機能により選択されたチャンネル番号によって指定される放送局の編成チャンネルのデジタルテレビ放送波を受信する受信機能（例えば、図１７のステップＢ８６）と、
を実現させることを特徴とする。
【００１９】
また、請求項１０に記載のプログラムにおいては、
デジタルテレビ放送波を受信可能なコンピュータ（例えば、図２のＣＰＵ１０）に、
地域識別情報と、当該地域で放送されている各放送局の各編成チャンネルのチャンネル番号とを対応づけて記憶するチャンネル記憶機能（例えば、図５のチャンネル枠情報テーブル１８４）と、
位置を表す位置情報からその位置における地域識別情報を求めることのできる第１のサーバと所定の通信回線を介して通信する第１の通信機能（例えば、図１１のステップＣ３３〜Ｃ３７）と、
自機の現在位置を取得する位置取得機能（例えば、図１１のステップＣ３１）と、
前記第１の通信機能に前記第１のサーバとの間で通信を行わせ、前記位置取得機能により取得された現在位置に対応する地域識別情報を受信して記憶する地域記憶機能（例えば、図９のステップＡ７９）と、
この地域記憶機能により記憶されている地域識別情報に対応づけて前記チャンネル記憶機能により記憶されているチャンネル番号を表示する制御を行う表示制御機能（例えば、図１６のステップＢ７１〜Ｂ７７）と、
この表示制御機能により表示されたチャンネル番号の中からユーザ操作に従って択一的にチャンネル番号を選択する番号選択機能（例えば、図１７のステップＢ８１〜Ｂ８５）と、
この番号選択機能により選択されたチャンネル番号によって指定される放送局の編成チャンネルのデジタルテレビ放送波を受信する受信機能（例えば、図１７のステップＢ８６）と、
を実現させることを特徴とする。
【発明の効果】
【００２０】
請求項１に記載の電子機器及び請求項８に記載のプログラムによれば、予め記憶されている各放送局の各編成チャンネルのチャンネル番号が、放送局を選択するユーザ操作に応じて読み出されて表示される。そして、この表示されたチャンネル番号の中から択一的にチャンネル番号を選択するユーザ操作に応じて、選択されたチャンネル番号によって指定される放送局の編成チャンネルのデジタルテレビ放送波が受信される。
【００２１】
従ってユーザは、各放送局の各編成チャンネルのチャンネル番号を予め知っておく必要なしに、放送局を選択する操作及び択一的にチャンネル番号を指定する操作により所望の編成チャンネルのデジタルテレビ放送を視聴することができる。
【００２２】
また、請求項２に記載の電子機器によれば、日時データに対応づけて当該日時に放送される各編成チャンネルのチャンネル番号が記憶され、放送局を選択するユーザ操作に応じて、各放送局の各編成チャンネルのチャンネル番号のうち、現在放送されている編成チャンネルのチャンネル番号が表示される。
【００２３】
従って、放送チャンネルのチャンネル編成が変動しても、ユーザは、現在放送されている編成チャンネルのチャンネル番号の中からチャンネル番号を択一的に指定する操作によりデジタルテレビ放送を視聴することができる。
【００２４】
また、請求項３に記載の電子機器によれば、地域別に当該地域で放送されている各放送局の各編成チャンネルのチャンネル番号が、当該地域の地域識別情報と対応づけられて記憶され、ユーザにより入力された地域識別情報に対応する各放送局の各編成チャンネルのチャンネル番号のうち、ユーザ操作により選択された放送局の各編成チャンネルのチャンネル番号が、当該ユーザ操作に応じて表示される。
【００２５】
従って、電子機器の現在地が変化することにより、同一放送局の同一編成チャンネルのチャンネル番号が変化したとしても、ユーザは各放送局の各編成チャンネルの当該地に対応するチャンネル番号を予め知っておく必要なしに、当該地の地域識別情報さえ入力すれば、択一的にチャンネル番号を指定する操作によりデジタルテレビ放送を視聴することができる。
【００２６】
また、請求項４に記載の電子機器によれば、地域別に当該地域で放送されている各放送局の各編成チャンネルのチャンネル番号が、当該地域の地域識別情報と対応づけられて記憶され、自機の現在位置における地域識別情報が第１のサーバから取得され、現在位置における地域識別情報に対応する各放送局の各編成チャンネルのチャンネル番号のうち、ユーザ操作により選択された放送局の各編成チャンネルのチャンネル番号が、当該ユーザ操作に応じて表示される。
【００２７】
従って、電子機器の現在地が変化することにより、同一放送局の同一編成チャンネルのチャンネル番号が変化したとしても、ユーザは各放送局の各編成チャンネルの当該地に対応するチャンネル番号を予め知っておく必要なしに、択一的にチャンネル番号を指定する操作によりデジタルテレビ放送を視聴することができる。この場合、ユーザは現在位置における地域識別情報を入力する必要もない。
【００２８】
また、請求項５に記載の電子機器及び請求項９に記載のプログラムによれば、地域識別情報と、当該地域で放送されている各放送局の各編成チャンネルのチャンネル番号とが対応づけられて記憶され、ユーザにより入力された地域識別情報に対応する各放送局の各編成チャンネルのチャンネル番号が表示される。そして、この表示されたチャンネル番号の中からユーザ操作に応じて択一的に選択されたチャンネル番号によって指定される放送局の編成チャンネルのデジタルテレビ放送波が受信される。
【００２９】
従って、電子機器の現在地が変化することにより、同一放送局の同一編成チャンネルのチャンネル番号が変化したとしても、ユーザは各放送局の各編成チャンネルの当該地に対応するチャンネル番号を予め知っておく必要なしに、当該地の地域識別情報さえ入力すれば、択一的にチャンネル番号を指定する操作により所望の編成チャンネルのデジタルテレビ放送を視聴することができる。
【００３０】
また、請求項６に記載の電子機器及び請求項１０に記載のプログラムによれば、地域識別情報と、当該地域で放送されている各放送局の各編成チャンネルのチャンネル番号とが対応づけられて記憶され、自機の現在位置における地域識別情報が第１のサーバから取得され、現在位置における地域識別情報に対応する各放送局の各編成チャンネルのチャンネル番号が表示される。そして、この表示されたチャンネル番号の中から択一的にチャンネル番号を選択するユーザ操作に応じて、選択されたチャンネル番号によって指定される放送局の編成チャンネルのデジタルテレビ放送波が受信される。
【００３１】
従って、電子機器の現在地が変化することにより、同一放送局の同一編成チャンネルのチャンネル番号が変化したとしても、ユーザは各放送局の各編成チャンネルの当該地に対応するチャンネル番号を予め知っておく必要なしに、択一的にチャンネル番号を指定する操作により所望の編成チャンネルのデジタルテレビ放送を視聴することができる。この場合、ユーザは現在位置における地域識別情報を入力する必要もない。
【００３２】
また、請求項７に記載の電子機器によれば、現在の地域識別情報に対応する各編成チャンネルのチャンネル番号が記憶されていない場合に、各放送局の各編成チャンネルのチャンネル番号を地域識別情報と対応づけて記憶している第２のサーバから、現在の地域識別情報に対応する各編成チャンネルのチャンネル番号が受信されて記憶される。
【００３３】
従って、現在の地域識別情報が変化しても、当該地域で放送されている各放送局の各編成チャンネルのチャンネル番号が確実に表示される。
【発明を実施するための最良の形態】
【００３４】
以下、図面を参照して本発明を実施するための形態について詳細に説明する。以下においては、本発明を地上波デジタル放送受像機付携帯電話機に適用した場合について説明するが、本発明を適用可能な形態がこれに限定されるものではない。
【００３５】
図１は本実施の形態における地上波デジタル放送受像機付携帯電話機（以下、単に携帯電話機と呼ぶ。）１の外観図である。
同図に示すように携帯電話機１は、ディスプレイ３、電話マイク４、操作入力部５、電話アンテナ６、ＴＶアンテナ７、ＴＶスピーカ８及び電話スピーカ９を備えて構成される。
【００３６】
ディスプレイ３は、例えばバックライトを伴ったカラーＬＣＤ（Liquid Crystal Display）やＥＬＤ（Electronic Luminescent Display）で構成され、携帯電話機１の操作に係る各種情報やＴＶ放送等を表示する。
【００３７】
操作入力部５は、携帯電話機１の機能に係る各プログラムの実行や各種情報等の入力に必要な各キーとして、数字キー部５ａ、クリアスイッチ５ｃ、カーソルスイッチ部５ｄ、決定スイッチ５ｅ、ＴＶスイッチ５ｆ、チャンネルモードスイッチ５ｇ、地域コードテーブル設定スイッチ５ｈ、オフフックスイッチ５ｉ及びオンフックスイッチ５ｊを備えて構成されている。
【００３８】
数字キー部５ａは、例えば算用数字０、１、２、・・・、９がそれぞれのキートップに記された０キー５ａ０、１キー５ａ１、２キー５ａ２、・・・、９キー５ａ９を備えて構成される。これら各キーは、それぞれのキートップに記された一桁の数０、１、２、・・・、９に対応し、数値の入力やダイヤル操作等に用いられる。
【００３９】
クリアスイッチ５ｃは、入力された文字の削除や、所定の入力受付状態における取消しの動作（キャンセル操作）を行うためのキーである。
【００４０】
カーソルスイッチ部５ｄは、画面のスクロールや上下左右へのカーソル移動、選択操作におけるフォーカス移動等を行うためのキー群であり、例えば上下左右の４方向に対応する上キー５ｄ８、下キー５ｄ２、左キー５ｄ４及び右キー５ｄ６を備えて構成される。
【００４１】
決定スイッチ５ｅは、操作の確定指示等を行うためのキーである。例えば、ユーザは、表示部に選択肢として表示された項目から所望の１つをカーソルスイッチ部５ｄにより選択し、決定スイッチ５ｅを押下することにより携帯電話機１に所定の指示を与える。
【００４２】
ＴＶスイッチ５ｆは、ＴＶ視聴に係る回路部（後述するＴＶ回路部１６）の起動と停止を行うためのキーである。携帯電話機１は、ＴＶ視聴が行われていない状態でこのＴＶスイッチ５ｆが押下されると、ＴＶ視聴を行うための動作状態（以下、ＴＶモードと呼ぶ。）へ移行し、地上波デジタル放送の映像及び音声をユーザに供給する。また、ＴＶモードにおいてＴＶスイッチ５ｆが押下されると、携帯電話機１はＴＶモードを終了する。
【００４３】
チャンネルモードスイッチ５ｇは、ＴＶモードにおいて、視聴中のチャンネルを他のチャンネルへ切替える操作を受け付ける動作状態（以下、チャンネルモードと呼ぶ。）に携帯電話機１を切替えるためのキーであり、また、チャンネルモードを終了する操作のためのキーでもある。即ち、チャンネルモードにおいてこのチャンネルモードスイッチ５ｇが押下されると、携帯電話機１はチャンネルモードを終了する。
【００４４】
地域コードテーブル設定スイッチ５ｈは、後述する地域コードテーブル１８３の地域コードを設定する操作を受け付ける動作状態（以下、地域コード設定モードと呼ぶ。）に携帯電話機１を切替えるためのキーである。
【００４５】
なお、ここに挙げたＴＶモード及び地域コード設定モードの詳細については後述のメイン処理の説明（図７〜図９）において、また、チャンネルモードの詳細については後述のチャンネル切替処理の説明（図１２）において、それぞれ示す通りである。
【００４６】
オフフックスイッチ５ｉは、電話回線を繋げる操作（即ち、旧来の有線電話等において受話器を持ち上げる操作に相当する、いわゆるオフフック操作）のためのキーである。携帯電話機１を電話機として使用する際、ユーザはこのオフフックスイッチ５ｉを押下することにより、入力された電話番号への発呼や、着信時の着呼を行う。
オンフックスイッチ５ｊは、通話を終了するためのスイッチである。
このように操作入力部５には、携帯電話機１の操作入力に必要な各キーが設けられている。
【００４７】
電話マイク４、電話アンテナ６及び電話スピーカ９は、携帯電話機１の電話機としての動作に係るそれぞれ集音、受信及び音声出力を行う機能部である。
この電話アンテナ６及び電話スピーカ９とは別に設けられているＴＶアンテナ７及びＴＶスピーカ８は、携帯電話機１のＴＶモードにおける動作に係るそれぞれ放送波受信及び音声出力を行う機能部である。
【００４８】
かくして携帯電話機１は、ユーザが操作入力部５の各キーを押下操作して、電話機としての機能やＴＶ視聴等の様々な機能を利用し得るようになされている。
【００４９】
図２は、かかる携帯電話機１の内部構成を示すブロック図である。
同図に示すように携帯電話機１は、ＣＰＵ（Central Processing Unit ）１０と、バス１１を介して当該ＣＰＵ１０に接続される計時部１２、電話回路部１３、ＧＰＳ（Global Positioning System ）１４、入力部１５、ＴＶ回路部１６、音声映像出力部１７、ＲＡＭ１８及びＲＯＭ１９とを備えて構成される。
【００５０】
ＣＰＵ１０は、入力される指示に応じて所定のプログラムに基づいた所定の処理を実行し、各機能部への指示やデータの転送等を行い、携帯電話機１を統括的に制御する。具体的には、ＣＰＵ１０は、入力部１５から入力されるキーの押下信号等に応じてＲＯＭ１９に格納されたプログラムを読み出し、当該プログラムに従って処理を実行する。そして、処理結果をＲＡＭ１８に保存するとともに、当該処理結果を表示する為の表示信号を音声映像出力部１７を介してディスプレイ３へ出力して、対応する表示情報を表示させる。
【００５１】
計時部１２は、年月日や時分といった日付情報や時刻を計時する計時装置で構成され、ＣＰＵ１０は、この計時部１２によって計時される時刻情報から現在時刻を取得する。
【００５２】
電話回路部１３は、電話機としての機能や所定のネットワーク（例えばインターネット）を介した通信を実現するための回路部である。
【００５３】
この電話回路部１３においては、電話アンテナ６を介して無線送受信部１３１が受信した電話信号を無線信号処理部１３２が復調し、音声信号処理部１３３がアナログ化して電話スピーカ９へ出力し、また、電話マイク４から入力された音声信号を音声信号処理部１３３がデジタル化し、無線信号処理部１３２が変調し、無線送受信部１３１が電話アンテナ６を介して電話信号として送出するようになされ、これによりユーザが携帯電話機１を無線電話機として使用し得るようになされている。
【００５４】
また、電話回路部１３はＣＰＵ１０からの制御に応じて、例えば図６に示すように、無線電話網９１を介して、その無線電話網９１及びインターネット９２の間に介在する無線基地局９３に対して無線通信を確立し、インターネット９２を介した通信を実現し得るようになされている。
【００５５】
ＧＰＳ１４（図２）は、携帯電話機１の現在位置（例えば緯度及び経度）を算出してＣＰＵ１０へ出力するように構成されている。具体的には、ＧＰＳ１４はＧＰＳアンテナ（図示せず。）を備え、地球低軌道上に打ち上げられた複数のＧＰＳ衛星（図示せず。）のうち少なくとも３個のＧＰＳ衛星から送信されるＧＰＳ信号をこのＧＰＳアンテナにより受信し、この受信したＧＰＳ信号に基づいて地球上での現在位置を算出する。
【００５６】
入力部１５は、操作入力部５が受け付けた押下操作に応じた操作信号をＣＰＵ１０へ出力する。
【００５７】
ＴＶ回路部１６は、地上波デジタル放送を受信するための回路部であり、ＴＶアンテナ７を介して地上波デジタル放送の信号（以下、「ＴＶ信号」という。）を受信するチューナ１６１と、復調部１６２と、ＴＳデコーダ１６３とを備えて構成される。
【００５８】
このＴＶ回路部１６においては、まずチューナ１６１は、ユーザが所定の方法で指定した放送波に対応するＴＶ信号をＴＶアンテナ７を介して受信してＯＦＤＭ変調信号として復調部１６２へ出力し、復調部１６２はそのＯＦＤＭ変調信号を復調することによりＴＳ（Transport Stream：トランスポート・ストリーム）を抽出してＴＳデコーダ１６３へ出力し、ＴＳデコーダ１６３はそのＴＳから映像データと音声データと（併せて図示。）を分離して音声映像出力部１７へ出力する。
【００５９】
この場合、復調部１６２はチューナ１６１から入力されたＯＦＤＭ変調信号をＡ／Ｄ変換し、変換した信号に対して同調処理、ＦＦＴ演算（Fast Fourier Transform）及び誤り訂正処理を実行する一連の回路（図示せず。）を備えて構成され、これによりＴＳの抽出を行う。
【００６０】
音声映像出力部１７は、音声や映像の出力制御を行う回路部であり、ＴＶ回路部１６から入力された映像データ及び音声データや、ＣＰＵ１０による各処理の実行に伴う処理結果を、例えばこの音声映像出力部１７に接続されたＴＶスピーカ８やディスプレイ３を介して出力する。
【００６１】
ＲＡＭ１８は、ＣＰＵ１０が実行する各種プログラムや、これらプログラムの実行に係るデータ等を一時的に保持するための記憶領域であり、同図に示すように、チャンネルモードフラグＣＨＦ、ゼロ押下フラグＳＥＬ０Ｆ、長押しフラグＳＥＬＦ、チャンネル番号ＣＨ、カウンタ１８１、ＥＰＧテーブル１８２、地域コードテーブル１８３及びチャンネル枠情報テーブル１８４を備えて構成される。
【００６２】
チャンネルモードフラグＣＨＦは、携帯電話機１の動作状態がチャンネルモードにあるか否かを表す変数（以下、これをＣＨＦと呼ぶ。）を格納する領域であり、チャンネルモードの場合ＣＨＦ＝１、そうでない場合ＣＨＦ＝０となるように、ＣＰＵ１０によってそれぞれ制御される。
【００６３】
ゼロ押下フラグＳＥＬ０Ｆは、数字キー部５ａの０キー５ａ０が押下されたことを検出して携帯電話機１が所定の動作状態（以下、ゼロ押下モードと呼ぶ。）となっていることを表す変数（以下、これをＳＥＬ０Ｆと呼ぶ。）を格納する領域であり、ゼロ押下モードの場合ＳＥＬ０Ｆ＝１、そうでない場合ＳＥＬ０Ｆ＝０となるように制御される。
【００６４】
また、長押しフラグＳＥＬＦは、数字キー部５ａの０キー５ａ０以外のキー（即ち１キー５ａ１、２キー５ａ２、・・・、９キー５ａ９）が所定期間以上押され続けた（いわゆる「長押し」された）のを検出して携帯電話機１が所定の動作状態（以下、長押しモードと呼ぶ。）となっていることを表す変数（以下、これをＳＥＬＦと呼ぶ。）を格納する領域であり、長押しモードの場合ＳＥＬＦ＝１、そうでない場合ＳＥＬＦ＝０となるように制御される。
【００６５】
チャンネル番号ＣＨは、ユーザによる入力等に応じてこれから同調しようとしている放送波のチャンネル番号を一時的に記憶しておく領域である。以下、このチャンネル番号ＣＨに格納される変数を単にＣＨと記す。
【００６６】
カウンタ１８１は、数字キー部５ａの０キー５ａ０以外のキーが押され続けている時間（以下、押下継続時間と呼ぶ。）を計るカウンタとして用いられる変数を格納する領域である。数字キー部５ａの０キー５ａ０以外のキーが押下されると、ＣＰＵ１０は、当該押下が止むまでこのカウンタ１８１を次々インクリメントするように制御し、これにより押下継続時間を計る。また、押下継続時間が所定の期間に達すると、ＣＰＵ１０は携帯電話機１の動作状態を長押しモードへ移行する。この場合ＣＰＵ１０は、カウンタ１８１を次々インクリメントしながら適宜所定の値と比較することにより、押下継続時間が所定の期間に達したか否かを判別する。
【００６７】
なお、これらＣＨＦ、ＳＥＬ０Ｆ、ＳＥＬＦ、ＣＨ及びカウンタ１８１の制御の詳細については、後述するチャンネル切替処理の説明において示す通りである。
【００６８】
ＥＰＧテーブル１８２は、現在放送中又は放送する予定の各番組に関する情報で構成されるＥＰＧ（Electronic Program Guide：電子番組ガイド）と呼ばれるデータ（以下、ＥＰＧ元データと呼ぶ。）の内、後述するチャンネル切替処理に必要な各要素で構成したデータ（以下、ＥＰＧデータと呼ぶ。）を格納するためのデータテーブルである。
【００６９】
例えば図３にそのデータ構成例を示すように、ＥＰＧテーブル１８２の各ＥＰＧデータは、チャンネル番号、放送時間帯、番組タイトル及び映像種別（映像の品質）等の項目を有している。従ってこのＥＰＧテーブル１８２によれば、所望の時刻（例えば現在）や時間帯において各編成チャンネルが放送を行っているか否かが判り、また、所望の時刻や時間帯において放送されている編成チャンネルを特定することも可能である。
【００７０】
この場合、ＥＰＧ元データは各放送局により提供されるデータであり、各放送局は定期的に（例えば毎時、）ＥＰＧ元データを更新し、地上波デジタル放送の放送波に含めて送信（配信）している（以下、かかる定期的な配信の時刻をＥＰＧ配信時刻と呼ぶ）。そして、携帯電話機１は、そのように各放送局により定期的に送信されるＥＰＧ元データを地上波デジタル放送の放送波から取得してＥＰＧテーブル１８２を更新するようになされている。
【００７１】
また、本実施の形態の携帯電話機１は、定期的に送信されるＥＰＧ元データを地上波デジタル放送の放送波から取得する方法ばかりでなく、放送波によらない方法によって、必要に応じて自発的にＥＰＧ元データを取得してＥＰＧテーブル１８２を更新し得るようにもなされている。
【００７２】
即ち、例えば、後述するチャンネル切替処理においては、現在時刻に対応する所定のチャンネルのＥＰＧデータが必要となるが、かかるＥＰＧデータがＥＰＧテーブル１８２に存在しない場合、所定のネットワーク（例えばインターネット）を介して必要なＥＰＧデータを取得する。なお、これについては図６を用いて後に詳述する。
【００７３】
地域コードテーブル１８３（図２）は、携帯電話機１の現在地の地域コードを格納する領域であり、そのデータ構成例は図４に示す通りである。この地域コードとは、地域を識別するための情報であり、同図の場合、例えば東京地区に対応する「１３」が地域コードの値として設定されている。
【００７４】
チャンネル枠情報テーブル１８４（図２）は、各放送局が提供する用意のある編成チャンネルを表した情報（以下、チャンネル枠情報と呼ぶ。）を地域コード毎に格納する領域である。
【００７５】
例えば図５にそのデータ構成例を示すように、チャンネル枠情報テーブル１８４は、地域コード及び親チャンネル（「チャンネル」項目）毎に、その地域コード及び親チャンネルに対応する放送局が編成する予定のある、即ち当該放送局が個数に関して最大限に編成した場合の編成チャンネルの番号を記憶している。なお、この「編成チャンネル」項目は、当該項目に挙げられた編成チャンネルの放送波が全て、又は常時提供されていることを表すわけではない。
【００７６】
図６は、これらＥＰＧテーブル１８２、地域コードテーブル１８３及びチャンネル枠情報テーブル１８４の取得に係る構成を示す図である。
同図に示すように携帯電話機１は、自機の電話アンテナ６、無線電話網９１、無線基地局９３及びインターネット９２を介して、インターネット９２に接続されるＥＰＧデータサーバ９４、地域コードサーバ９５及びチャンネル枠情報サーバ９６との間でデータの送受信を行い得るようになされている。
【００７７】
これらＥＰＧデータサーバ９４、地域コードサーバ９５及びチャンネル枠情報サーバ９６は、例えば各放送局により管理されるデータベースサーバであり、所定のデータベースを用いてＥＰＧ元データやチャンネル枠情報の提供を行う。
【００７８】
ＥＰＧデータサーバ９４は、現在のＥＰＧデータを記憶するＥＰＧデータベース９４ａを備えて構成され、インターネット９２を介した要求に応じて現在のＥＰＧデータを返信するようになされている。
【００７９】
また、地域コードサーバ９５は、位置情報（例えば緯度及び経度）に対応する地域コードを記憶する地域コードデータベース９５ａを備えて構成され、位置情報を指定して地域コードを要求する装置に対して、その位置情報に対応する地域コードを地域コードデータベース９５ａから検索し、インターネット９２を介して当該装置へ返信するようになされている。
【００８０】
また、チャンネル枠情報サーバ９６は、地域コードに対応するチャンネル枠情報を記憶するチャンネル枠情報データベース９６ａを備えて構成され、地域コードを指定してチャンネル枠情報を要求する装置に対して、その地域コードに対応するチャンネル枠情報をチャンネル枠情報データベース９６ａから検索し、インターネット９２を介して当該装置へ返信するようになされている。
【００８１】
従って、携帯電話機１においては、ＣＰＵ１０が電話回路部１３を制御することによりインターネット９２を介して適宜、ＥＰＧデータ、地域コード及びチャンネル枠情報を取得し、ＥＰＧテーブル１８２、地域コードテーブル１８３及びチャンネル枠情報テーブル１８４を更新し得るようになされている。
【００８２】
即ち、ＣＰＵ１０は、必要に応じてＥＰＧデータサーバ９４に対してＥＰＧデータを要求することにより現在のＥＰＧデータを取得し、これを用いてＥＰＧテーブル１８２に新たなＥＰＧデータを追加し得るようになされている。
【００８３】
また、ＣＰＵ１０は、地域コードサーバ９５に対して、ＧＰＳ１４により取得した現在位置を位置情報として地域コードを要求することにより現在位置に対応する地域コード（以下、現在の地域コードと呼ぶ。）を取得し、地域コードテーブル１８３の地域コードをこの現在の地域コードで更新し得るようになされている。
【００８４】
また、ＣＰＵ１０は、チャンネル枠情報サーバ９６に対して、地域コードテーブル１８３の地域コードを指定してチャンネル枠情報を要求することにより、現在の地域コードに対応するチャンネル枠情報を取得し、このチャンネル枠情報によりチャンネル枠情報テーブル１８４を更新し得るようになされている。
【００８５】
ＲＯＭ１９（図２）は、主に携帯電話機１に係るシステムプログラムやアプリケーションプログラム、各種初期設定、必要なプログラムのロードを行うための初期プログラム等を記憶するための記憶領域であり、同図に示すように、メイン処理プログラム１９１、着信検知処理プログラム１９２、チャンネル切替処理プログラム１９３、ＥＰＧデータ取得処理プログラム１９４、チャンネル枠テーブル取得処理プログラム１９５、地域コード入力処理プログラム１９６及び地域コード取得処理プログラム１９７を備えて構成される。
【００８６】
メイン処理プログラム１９１は、無線電話機としての機能やＴＶ視聴等の機能を有する携帯電話機１の全体動作の処理であるメイン処理に係るプログラムである。携帯電話機１の電源が投入されると、ＣＰＵ１０は、所定の初期プログラムにより、まずこのメイン処理プログラム１９１を実行することにより、本実施の形態のメイン処理を開始し、以降、電源が切断されるまでの間このメイン処理を行うようになされている。
【００８７】
また、ＣＰＵ１０はこのメイン処理における必要に応じて、チャンネル切替処理プログラム１９３、地域コード入力処理プログラム１９６、及び地域コード取得処理プログラム１９７を実行することにより、チャンネルの切替に係るチャンネル切替処理、地域コードをユーザに入力指定させる地域コード入力処理、及び地域コードを自動取得する地域コード取得処理を行うようになされている。
【００８８】
更にＣＰＵ１０は、チャンネル切替処理における必要に応じて、ＥＰＧデータ取得処理プログラム１９４、及びチャンネル枠テーブル取得処理プログラム１９５を実行することにより、ＥＰＧ元データを取得してＥＰＧデータを更新するＥＰＧデータ取得処理、及びチャンネル枠情報を取得してチャンネル枠情報テーブル１８４を更新するチャンネル枠テーブル取得処理を行うようになされている。
【００８９】
更にＣＰＵ１０は、上記の各処理の何れのステップを行っているかに関わらず、電話回路部１３によって着信を検知すると、着信検知処理プログラム１９２を実行し、着信検知に応じた割込み処理である着信検知処理を行うようになされている。
【００９０】
次に、かかる携帯電話機１において、ＣＰＵ１０がこれら各処理プログラムを実行することにより実現される動作について、図７〜図２０に示すフローチャートを用いて詳細に説明する。
【００９１】
図７〜図９は、本実施の形態の携帯電話機１のメイン処理を表したフローチャートである。携帯電話機１の電源が投入されると、ＣＰＵ１０は、ＲＯＭ１９のメイン処理プログラム１９１を実行することにより本実施の形態のメイン処理を開始し、以降、電源が切断されるまでの間このメイン処理を行う。
【００９２】
このメイン処理において、ＣＰＵ１０はまず、携帯電話機１の初期化処理（イニシャライズ）として、例えば携帯電話機１の各種機能の設定を初期化し（図７：ステップＡ１１）、次いで、音声映像出力部１７を制御して待ち受け画面を表示する（ステップＡ１３）。
【００９３】
次いでＣＰＵ１０は、オフフックスイッチ５ｉへのオン操作（押下）がなされたか否かを判別する（ステップＡ１５）。
オン操作がなされた場合（ステップＡ１５：Ｙｅｓ）、ＣＰＵ１０は、音声映像出力部１７を制御して番号入力のための画面（番号入力画面）を表示し（ステップＡ１７）、この番号入力画面において番号入力を受け付ける（ステップＡ１９）。
【００９４】
数字キー部５ａへの操作により番号入力が入力され、オフフックスイッチ５ｉが押下されると、入力された電話番号の電話機（以下、通信先と呼ぶ。）への発呼（通信先への発信）を行い（ステップＡ２１）、その通信先との接続が確立されるまで呼出報知を行う（ステップＡ２３及びＡ２５）。
【００９５】
そして通信先との接続が確立されると（ステップＡ２５：Ｙｅｓ）、ＣＰＵ１０は、オンフックスイッチ５ｊへのオン操作がなされるまで、送受話音声の送受信（通話処理）を行う（ステップＡ２７及びＡ２９）。オンフックスイッチ５ｊへのオン操作がなされると（ステップＡ２９：Ｙｅｓ）、ＣＰＵ１０は、通信先との接続を切断（終話処理）し（ステップＡ３１）、ステップＡ１３へ戻る。
【００９６】
一方、ステップＡ１５においてオフフックスイッチ５ｉへのオン操作がなされていない場合（ステップＡ１５：Ｎｏ）、ＣＰＵ１０はステップＡ４１（図８）へ移行する。
【００９７】
そして図８に示すように、ステップＡ４１へ移行するとＣＰＵ１０は、ＴＶスイッチ５ｆへのオン操作（押下）がなされたか否かを判別する（ステップＡ４１）。
オン操作がなされた場合（ステップＡ４１：Ｙｅｓ）、ＣＰＵ１０は、バス１１上の所定の電源回路（図示せず。）を制御することによりＴＶ回路部１６への電源供給を開始し、ＴＶ回路部１６を起動させる（ステップＡ４３）。かくして携帯電話機１は、ユーザがＴＶ視聴を行うための動作状態であるＴＶモードへ移行する。
【００９８】
携帯電話機１がＴＶモードへ移行すると、まずＣＰＵ１０は、ＴＶ回路部１６が受信して出力した地上波デジタル放送の映像信号及び音声信号を、音声映像出力部１７を介して、表示部であるディスプレイ３及び音声出力端子であるＴＶスピーカ８へそれぞれ供給する（ステップＡ４５及びステップＡ４７）。これにより地上波デジタル放送の映像及び音声がユーザに提供される。
【００９９】
また、放送波からＥＰＧ元データを受信することができる場合は（ステップＡ４９：Ｙｅｓ）、ＣＰＵ１０はそのＥＰＧ元データを用いてＥＰＧテーブル１８２に新たなＥＰＧデータを追加する（ステップＡ５１）。従ってＴＶモードで動作する間は、ＥＰＧ配信時刻が到来する度にＥＰＧテーブル１８２が更新される。
【０１００】
次いでＣＰＵ１０は、後述するチャンネル切替処理を行い（ステップＡ５３）、ステップＡ５５へ移行する。
ステップＡ５５においてＣＰＵ１０は、再度ＴＶスイッチ５ｆを押下してＴＶ回路部１６を停止する操作（ＴＶスイッチオフ操作）がなされたか否かを判別し（ステップＡ５５）、ＴＶスイッチオフ操作がなされていない場合（ステップＡ５５：Ｎｏ）、ステップＡ４５へ戻る。
【０１０１】
かくして、以降ＣＰＵ１０はステップＡ４５〜Ａ５５の処理を繰り返し、これにより保たれるＴＶモードにおいて、地上波デジタル放送の映像及び音声をユーザに供給し続ける。
【０１０２】
そして、このＴＶモード中にＴＶスイッチオフ操作がなされると（ステップＡ５５：Ｙｅｓ）、ＣＰＵ１０はＴＶ回路部１６への電源供給を停止して（ステップＡ５７）ステップＡ１３（図７）へ戻る。即ちＴＶスイッチオフ操作により、携帯電話機１はＴＶモードを終了する。
【０１０３】
また、ステップＡ４１においてＴＶスイッチ５ｆへのオン操作がなされていない場合、ＣＰＵ１０はステップＡ６１（図９）へ移行する。
【０１０４】
そして図９に示すように、ステップＡ６１へ移行するとＣＰＵ１０は、地域コードテーブル設定スイッチ５ｈへのオン操作（押下）がなされたか否かを判別する（ステップＡ６１）。
オン操作がなされた場合（ステップＡ６１：Ｙｅｓ）、ＣＰＵ１０は、ユーザに地域コードテーブル１８３の地域コードを設定させる動作状態である地域コード設定モードへ移行する。
【０１０５】
携帯電話機１が地域コード設定モードへ移行すると、まずＣＰＵ１０は、地域コードの設定方法を選択する為の地域コードテーブル設定選択画面ｘ１をディスプレイ３に表示する（ステップＡ６３）。この地域コードテーブル設定選択画面ｘ１は、例えば図２１に示すような、本実施の形態においてユーザが選択し得る地域コードの設定方法である「入力」及び「取得」をアイコン表示した画面となっている。
【０１０６】
また、同図に示すようにＣＰＵ１０は、地域コードテーブル設定選択画面ｘ１において、アイコン表示された設定方法のうちの一方を白黒反転表示することでフォーカス表示ｘ１１を施し（図９：ステップＡ６５）、この状態で、ユーザにより設定方法が選択決定されるのを待ち受ける（以下、この待ち受けを地域設定選択決定待ち受けと呼ぶ。）。
【０１０７】
即ちＣＰＵ１０は、カーソルスイッチ部５ｄの何れかのキーを押下する操作（オン操作）がなされたか否かを判別し（ステップＡ６７）、なされていなければ（ステップＡ６７：Ｎｏ）決定スイッチ５ｅへのオン操作（押下）がなされたか否かを判別し（ステップＡ７１）、なされていなければ（ステップＡ７１：Ｎｏ）クリアスイッチ５ｃへのオン操作（押下）がなされたか否かを判別し（ステップＡ７３）、なされていなければ（ステップＡ７３：Ｎｏ）、ステップＡ６７へ戻る。
【０１０８】
この、カーソルスイッチ部５ｄ、決定スイッチ５ｅ又はクリアスイッチ５ｃへのオン操作を待ち受ける地域設定選択決定待ち受けにおいて、カーソルスイッチ部５ｄへのオン操作がなされると（ステップＡ６７：Ｙｅｓ）、ＣＰＵ１０はそのオン操作に応じて、即ちこの場合、押下された上キー５ｄ８又は下キー５ｄ２に対応して、アイコン表示された設定方法に施されたフォーカス表示ｘ１１を上又は下へ移動させ（ステップＡ６９）、引き続き地域設定選択決定待ち受けを行う。
【０１０９】
そして、この地域設定選択決定待ち受けにおいて決定スイッチ５ｅへのオン操作がなされると（ステップＡ７１：Ｙｅｓ）、ＣＰＵ１０は、フォーカス表示ｘ１１を施されている方の設定方法によって地域コードの設定を行って地域コード設定モードを終了する。
【０１１０】
即ち、ＣＰＵ１０は、フォーカス表示ｘ１１を施されている位置にある設定方法が「入力」である場合（ステップＡ７５：Ｙｅｓ）、後述する地域コード入力処理を行い（ステップＡ７７）、「入力」でない場合（ステップＡ７５：Ｎｏ）、後述する地域コード取得処理を行い（ステップＡ７９）、このように何れかの方法で地域コードの設定を行った後ステップＡ１３（図７）へ戻る。
【０１１１】
また、地域設定選択決定待ち受けにおいてクリアスイッチ５ｃへのオン操作がなされると（ステップＡ７３：Ｙｅｓ）、ＣＰＵ１０は、地域コード設定モードを終了してステップＡ１３（図７）へ戻る。即ち当該オン操作は、地域コード設定モードにおけるキャンセル操作となっている。
【０１１２】
一方、ステップＡ６１において地域コードテーブル設定スイッチ５ｈへのオン操作がなされていない場合、ＣＰＵ１０はステップＡ１３（図７）へ戻る。
【０１１３】
かくして、本実施の形態の携帯電話機１は、電源が投入されると、オフフックスイッチ５ｉ、ＴＶスイッチ５ｆ及び地域コードテーブル設定スイッチ５ｈへのオン操作を待ち受けるように動作することとなる。
【０１１４】
そしてユーザは、オフフックスイッチ５ｉを押下することにより通話ができ、ＴＶスイッチ５ｆを押下することによりＴＶモードに切替えてＴＶ視聴ができ、地域コードテーブル設定スイッチ５ｈを押下することにより地域コード設定モードに切替えて地域コードの設定をすることができる。
【０１１５】
次に、本実施の形態の地域コード入力処理について、これをフローチャートで表した図１０を用いて詳細に説明する。ＣＰＵ１０は、上述のメイン処理における必要に応じて、ＲＯＭ１９の地域コード入力処理プログラム１９６を実行することにより、同図に示す地域コード入力処理を行う。
【０１１６】
地域コード入力処理を開始すると、まずＣＰＵ１０は、地域コードを入力するための地域コードテーブル入力画面ｘ２を表示する（ステップＣ１１）。この地域コードテーブル入力画面ｘ２は、例えば図２２に示すような、地域コードの入力エリアｘ２１を備えた画面である。
そして同図に示すように、入力エリアｘ２１に文字入力用のカーソル（以下、文字カーソルと呼ぶ。）ｘ２２を表示し（図１０：ステップＣ１２）、この状態でユーザによる地域コードの入力を待ち受ける（以下、この待ち受けを地域コード入力待ち受けと呼ぶ。）。
【０１１７】
即ちＣＰＵ１０は、文字（この場合、数字キー部５ａを介して入力される一桁の数字）が入力されたか否かを判別し（ステップＣ１５）、入力されていなければ（ステップＣ１５：Ｎｏ）決定スイッチ５ｅへのオン操作がなされたか否かを判別し（ステップＣ１９）、なされていなければ（ステップＣ１９：Ｎｏ）クリアスイッチ５ｃへのオン操作がなされたか否かを判別し（ステップＣ２１）、なされていなければ（ステップＣ２１：Ｎｏ）、ステップＣ１５へ戻る。
【０１１８】
この地域コード入力待ち受けにおいて文字入力がなされると（ステップＣ１５：Ｙｅｓ）、ＣＰＵ１０は、文字カーソルｘ２２を移動し、入力された文字を表示し（ステップＣ１７）、引き続き地域コード入力待ち受けを行う。
【０１１９】
そして、この地域コード入力待ち受けにおいて決定スイッチ５ｅへのオン操作がなされると（ステップＣ１９：Ｙｅｓ）、ＣＰＵ１０は、入力エリアｘ２１に文字入力された文字（入力データ）を地域コードテーブル１８３へ、地域コードの値としてストアして本処理を終了する（ステップＣ２３）。
【０１２０】
また、地域コード入力待ち受けにおいてクリアスイッチ５ｃへのオン操作がなされると（ステップＣ２１：Ｙｅｓ）、ＣＰＵ１０は、入力された文字をクリアした後、本処理を終了する（ステップＣ２５）。即ち当該オン操作は本処理におけるキャンセル操作となっている。
【０１２１】
かくして本処理においては、ＣＰＵ１０は、地域コードテーブル１８３の地域コードの値を、ユーザが入力した値へ変更する。
【０１２２】
次に、本実施の形態の地域コード取得処理について、これをフローチャートで表した図１１を用いて詳細に説明する。ＣＰＵ１０は、上述のメイン処理における必要に応じて、ＲＯＭ１９の地域コード取得処理プログラム１９７を実行することにより、同図に示す地域コード取得処理を行う。
【０１２３】
地域コード取得処理を開始すると、まずＣＰＵ１０は、ＧＰＳ１４を制御することにより携帯電話機１の現在位置（例えば緯度及び経度）を取得する（ステップＣ３１）。
【０１２４】
次いでＣＰＵ１０は、所定のネットワーク上にある地域コードサーバ９５にアクセスする（ステップＣ３３）。この場合、図６を用いて上述したように、ＣＰＵ１０が電話回路部１３を制御することにより、例えば、無線電話網９１、無線基地局９３及びインターネット９２を介して、インターネット９２に接続される地域コードサーバ９５にアクセスする。
【０１２５】
次いでＣＰＵ１０は、この地域コードサーバ９５に対して、ステップＣ３１で取得した現在位置（位置データ）を位置情報として指定して地域コードの送信を要求し（図１１：ステップＣ３５）、地域コードサーバ９５から地域コードを受信するまで待ち受ける（ステップＣ３７）。
【０１２６】
地域コードサーバ９５から地域コードを受信すると（ステップＣ３７：Ｙｅｓ）、ＣＰＵ１０は、当該受信により取得した地域コードを地域コードテーブル１８３へ、地域コードの値としてストアする（ステップＣ３９）。
そしてＣＰＵ１０は、電話回路部１３を制御してネットワークとの接続を切断して本処理を終了する（ステップＣ４１）。
【０１２７】
かくして本処理においては、ＣＰＵ１０は、携帯電話機１の現在位置に応じた地域コードをネットワーク上にある地域コードサーバ９５から取得し、地域コードテーブル１８３の地域コードを、その取得した地域コードで更新する。
【０１２８】
次に、本実施の形態のチャンネル切替処理について、これをフローチャートで表した図１２〜図１７を用いて詳細に説明する。ＣＰＵ１０は、上述のメイン処理における必要に応じて、ＲＯＭ１９のチャンネル切替処理プログラム１９３を実行することにより、これら図１２〜図１７に示すチャンネル切替処理を行う。
【０１２９】
より具体的には、ＣＰＵ１０は、携帯電話機１が地上波デジタル放送の映像及び音声をユーザに供給し続けるＴＶモード（図８：ステップＡ４３〜Ａ５５）の処理の中で、映像及び音声の出力と並行するように、このチャンネル切替処理を行っている。
【０１３０】
因みにチャンネル切替処理は、ステップＡ４５〜Ａ５５でなる繰り返し処理中の１ステップ（ステップＡ５３）として行われるから、携帯電話機１がＴＶモードである限り、ＣＰＵ１０はこのチャンネル切替処理を繰り返し行い、即ち、チャンネル切替処理を終了しても、すぐ再びチャンネル切替処理を行う。
【０１３１】
チャンネル切替処理を開始すると、まずＣＰＵ１０は、チャンネルモードスイッチ５ｇへのオン操作（押下）がなされたか否かを判別する（図１２：ステップＢ１１）。
オン操作がなされた場合（ステップＢ１１：Ｙｅｓ）、ＣＰＵ１０は、ＲＡＭ１８を制御してＣＨＦを１とする（ステップＢ１２）。即ち、視聴中のチャンネルを他のチャンネルへ切替える操作を受け付ける動作状態（チャンネルモード）に携帯電話機１を切替える。
【０１３２】
次いでＣＰＵ１０は、現在視聴中のチャンネルのチャンネル番号をＲＡＭ１８のチャンネル番号ＣＨへ格納し（ステップＢ１３）、ＣＨに基づいて、チャンネルを選択するためのチャンネル選択画面ｘ３の表示を開始して本処理を終了する（ステップＢ１４）。因みにこの場合、先述したようにＣＰＵ１０は、ＴＶモードである限り、再び当処理を開始し、ステップＢ１１以降を行うこととなる。
【０１３３】
このチャンネル選択画面ｘ３は、例えば図２３に示すような、現在のチャンネル番号を表示する部分ｘ３１とチャンネル番号を入力する領域（以下、チャンネル番号入力域と呼ぶ。）ｘ３２とを備えて構成される画面である。後述するように本実施の形態においては、チャンネルを切替える操作の態様が複数存在するが、それらの何れの場合にも共通して、まずこの図２３に示すチャンネル選択画面ｘ３を表示する。
【０１３４】
ステップＢ１１において、チャンネルモードスイッチ５ｇへのオン操作がなされていない場合（ステップＢ１１：Ｎｏ）、ＣＰＵ１０は、チャンネルモードスイッチ５ｇを再度押下する操作（オフ操作）がなされたか否かを判別する（ステップＢ１５）。
【０１３５】
オフ操作がなされた場合（ステップＢ１５：Ｙｅｓ）、ＣＰＵ１０は、まずチャンネル選択画面を消去し（ステップＢ１６）、ＣＨＦ、ＳＥＬＦ及びＳＥＬ０Ｆを０として本処理を終了する（ステップＢ１７）。即ち、長押しモード又はゼロ押下モードである場合はそれを終了し、更にチャンネルモードを終了する。
【０１３６】
一方、チャンネルモードスイッチ５ｇへのオフ操作がなされていない場合（ステップＢ１５：Ｎｏ）、ＣＰＵ１０は、ＣＨＦが１であるか否かを判別する（ステップＢ１８）。
ＣＨＦが１でない場合（ステップＢ１８：Ｎｏ）、即ち携帯電話機１がチャンネルモードでない場合、ＣＰＵ１０は本処理を終了する。
【０１３７】
このように、本実施の形態の携帯電話機１は、チャンネルモードでない状態においては、チャンネルモードスイッチ５ｇへのオン操作を待ち受け、オン操作がなされると、チャンネルモードへ切替わる動作を示す。
【０１３８】
ステップＢ１８においてＣＨＦが１である場合（ステップＢ１８：Ｙｅｓ）、即ち携帯電話機１がチャンネルモードの場合、ＳＥＬＦ又はＳＥＬ０Ｆの何れかが１であるか否かを判別する（ステップＢ１９）。
【０１３９】
ＳＥＬＦ又はＳＥＬ０Ｆの何れかが１である場合（ステップＢ１９：Ｙｅｓ）、即ち携帯電話機１が長押しモード又はゼロ押下モードの場合、ＣＰＵ１０は、ステップＢ８１（図１７）へ移行する。
一方、ＳＥＬＦ及びＳＥＬ０Ｆの何れも１でない場合（ステップＢ１９：Ｎｏ）、ＣＰＵ１０は、ステップＢ２１（図１３）へ移行する。
【０１４０】
そして図１３に示すように、ステップＢ２１へ移行するとＣＰＵ１０は、数字キー部５ａの何れかのキー（以下、数字キーと呼ぶ。）を押し込む操作（オン操作）がなされたか否かを判別する（ステップＢ２１）。
【０１４１】
この場合のオン操作は、数字キーを押し込む操作までを指すものとし、ユーザが数字キーを押し込んで（例えば）手を放す、という一連の押下操作や、既に押し込まれた状態の数字キーに対して、その押し込まれた状態を保つのみの操作とは異なることとする。
また、オン操作を施した数字キーから手を放すことにより（押し込まれていた）数字キーを戻す操作をオフ操作と呼ぶこととする。
【０１４２】
数字キーへのオン操作がなされた場合（ステップＢ２１：Ｙｅｓ）、このオン操作は、押し込んだ（０キー５ａ０、１キー５ａ１、２キー５ａ２、・・・、９キー５ａ９の何れか１つである）数字キーに対応する数字を入力する操作にもなっており、ＣＰＵ１０はその数字（以下、入力数字と呼ぶ。）を、ＲＡＭ１８のチャンネル番号ＣＨへ格納する。
【０１４３】
次いでＣＰＵ１０は、ＣＨが０以外であるか否かを判別する（ステップＢ２３）。
ＣＨが０以外でない場合（ステップＢ２３：Ｎｏ）、ＣＰＵ１０はＳＥＬ０Ｆを１としてステップＢ７１（図１６）へ移行する（ステップＢ２４）。即ち、オン操作に係る数字キーが０キー５ａ０であることにより入力数字が０である場合、ＣＰＵ１０は携帯電話機１の動作状態をゼロ押下モードへ移行する。
【０１４４】
一方、ステップＢ２３においてＣＨが０以外である場合（ステップＢ２３：Ｙｅｓ）、ＣＰＵ１０は、カウンタ１８１を制御して押下継続時間の計時を開始する（ステップＢ２５）。即ち、オン操作に係る数字キーが０キー５ａ０以外（１キー５ａ１、２キー５ａ２、・・・、９キー５ａ９の何れか１つ）であることにより入力数字が０以外であるこの場合、図２を用いて上述したように、ＣＰＵ１０は、カウンタ１８１を次々インクリメントする制御を行うことにより押下継続時間を計るが、かかる制御を本ステップＢ２５において開始する。
【０１４５】
次いでＣＰＵ１０は、チャンネル選択画面ｘ３（図２３）のチャンネル番号入力域ｘ３２において既に表示されている数字（以下、表示数字と呼ぶ。）に、入力数字を追加表示して本処理を終了する（ステップＢ２６）。即ち、例えば本ステップＢ２６を１度以上行ったこと等によりチャンネル番号入力域ｘ３２に数字が表示されている場合はその数字に続けて表示し、チャンネル番号入力域ｘ３２に何ら数字が表示されていなければ入力数字そのものを表示する。
【０１４６】
因みにこの場合、携帯電話機１はチャンネルモードにある状態で、かつ長押しモードやゼロ押下モードにない状態で本処理を終了するから、ＣＰＵ１０は、再び本処理を開始するとステップＢ２１以降を行う（図１２のステップＢ１１（Ｎｏ）→Ｂ１５（Ｎｏ）→Ｂ１８（Ｙｅｓ）→Ｂ１９（Ｎｏ））。
【０１４７】
また、ステップＢ２１において数字キーへのオン操作がなされていない場合（ステップＢ２１：Ｎｏ）、ＣＰＵ１０は、数字キーへのオフ操作がなされたか否かを判別する（ステップＢ２７）。
数字キーへのオフ操作（即ち数字キーから手を放す操作）がなされた場合（ステップＢ２７：Ｙｅｓ）、ＣＰＵ１０は、ＲＡＭ１８を制御してカウンタ１８１の値をクリアして本処理を終了する（ステップＢ２８）。この場合即ち、ＣＰＵ１０は、カウンタ１８１の値を０とし、次々インクリメントする制御により行っていた押下継続時間の計時を停止する。
【０１４８】
一方、数字キーへオフ操作がなされていない場合（ステップＢ２７：Ｎｏ）、ＣＰＵ１０は、クリアスイッチ５ｃへのオン操作がなされたか否かを判別する（ステップＢ２９）。
オン操作がなされた場合（ステップＢ２９：Ｙｅｓ）、チャンネル選択画面ｘ３（図２３）のチャンネル番号入力域ｘ３２の表示数字をクリアして本処理を終了する（ステップＢ３０）。
【０１４９】
因みにこの場合も、携帯電話機１はチャンネルモードにある状態で、かつ長押しモードやゼロ押下モードにない状態で本処理を終了するから、ＣＰＵ１０は、再び本処理を開始するとステップＢ２１以降を行う。
【０１５０】
一方、ステップＢ２９においてクリアスイッチ５ｃへのオン操作がなされていない場合（ステップＢ２９：Ｎｏ）、ステップＢ４１（図１４）へ移行する。
【０１５１】
そして図１４に示すように、ステップＢ４１へ移行するとＣＰＵ１０は、決定スイッチ５ｅへのオン操作がなされたか否かを判別する（ステップＢ４１）。
決定スイッチ５ｅへのオン操作がなされた場合（ステップＢ４１：Ｙｅｓ）、ＣＰＵ１０は、チャンネル選択画面ｘ３のチャンネル番号入力域ｘ３２の表示数字の桁数について判別する（ステップＢ４２）。
【０１５２】
表示数字の桁数が１又２である場合（ステップＢ４２：１又２）、これは入力されたチャンネル番号が親チャンネルを指定する番号であることを意味し、このときＣＰＵ１０は、表示数字のチャンネル番号をＴＶ回路部１６のチューナ１６１へ入力（供給）することにより、放送波に同調するよう制御する（ステップＢ４３）。そして本処理を終了する。
【０１５３】
一方、表示数字の桁数がそれ以上である場合（ステップＢ４２：それ以上）、これは入力されたチャンネル番号が枝チャンネルを指定する番号であることを意味し、このときＣＰＵ１０は、表示数字である枝チャンネル番号をＴＶ回路部１６のチューナ１６１へ入力（供給）することにより、放送波に同調するよう制御する（ステップＢ４３）。そして本処理を終了する。
【０１５４】
因みにこれらの場合も、携帯電話機１はチャンネルモードにある状態で、かつ長押しモードやゼロ押下モードにない状態で本処理を終了するから、ＣＰＵ１０は、再び本処理を開始するとステップＢ２１以降を行う。
【０１５５】
また、ステップＢ４１において決定スイッチ５ｅへのオン操作がなされていない場合（ステップＢ４１：Ｎｏ）、ＣＰＵ１０は、カーソルスイッチ部５ｄへのオン操作がなされたか否かを判別し（ステップＢ４５）、オン操作がなされた場合（ステップＢ４５：Ｙｅｓ）、そのオン操作に応じた、即ちこの場合、押下された上キー５ｄ８又は下キー５ｄ２に対応した処理を行う。
【０１５６】
即ちＣＰＵ１０は、カーソルスイッチ部５ｄへのオン操作として押下されたキーが上キー５ｄ８である場合（ステップＢ４６：上）、チャンネル選択画面ｘ３（図２３）のチャンネル番号入力域ｘ３２の表示数字をインクリメントし（ステップＢ４７）、一方、押下されたキーが下キー５ｄ２である場合（ステップＢ４６：下）、表示数字をデクリメントし（ステップＢ４８）、本処理を終了する。
【０１５７】
因みにこれらの場合も、携帯電話機１はチャンネルモードにある状態で、かつ長押しモードやゼロ押下モードにない状態で本処理を終了するから、ＣＰＵ１０は、再び本処理を開始するとステップＢ２１以降を行う。
【０１５８】
また、ステップＢ４５において、カーソルスイッチ部５ｄへのオン操作がなされていない場合（ステップＢ４５：Ｎｏ）、ＣＰＵ１０は、ＲＡＭ１８のカウンタ１８１において計時される押下継続時間が所定の期間（以下、一定時間と呼ぶ。)を経過したか否かを判別する（ステップＢ４９）。
【０１５９】
押下継続時間が一定時間を経過した場合（ステップＢ４９：Ｙｅｓ）、ＣＰＵ１０は、まずＳＥＬＦを１とする（ステップＢ５０）。即ちＣＰＵ１０は、携帯電話機１の動作状態を長押しモードへ移行する。そしてＣＰＵ１０は、カウンタ１８１を制御することによりその計時を停止して、ステップＢ６１（図１５）へ移行する（ステップＢ５１）。
【０１６０】
一方、押下継続時間が一定時間を経過していない場合（ステップＢ４９：Ｎｏ）、本処理を終了する。
因みにこの場合も、携帯電話機１はチャンネルモードにある状態で、かつ長押しモードやゼロ押下モードにない状態で本処理を終了するから、ＣＰＵ１０は、再び本処理を開始するとステップＢ２１以降を行う。
【０１６１】
このように、本実施の形態の携帯電話機１は、チャンネルモードの状態において、チャンネルモードスイッチ５ｇへのオフ操作、数字キーへのオン操作、数字キーへのオフ操作、クリアスイッチ５ｃへのオン操作、決定スイッチ５ｅへのオン操作、カーソルスイッチ部５ｄへのオン操作及び押下継続時間の一定時間経過を待ち受ける動作を示す。
【０１６２】
そして、この待ち受けの動作において、チャンネルモードスイッチ５ｇへのオフ操作がなされると、携帯電話機１はチャンネルモードを終了する動作を示す。
【０１６３】
また、数字キーへのオン操作及びクリアスイッチ５ｃへのオン操作に応じてチャンネル番号入力域ｘ３２の表示数字の追加表示及びクリアを行い、カーソルスイッチ部５ｄへのオン操作に応じて表示数字のインクリメントやデクリメントを行い、決定スイッチ５ｅへのオン操作に応じて、そのようにして入力又は変更した表示数字のチャンネル番号の放送波にチューナ１６１を同調するといった動作を示す。
【０１６４】
また、数字キーへのオン操作が０キー５ａ０に対してなされた場合、ゼロ押下モードへ移行し、一方、オン操作が０キー５ａ０以外の数字キー（１キー５ａ１、２キー５ａ２、・・・、９キー５ａ９）に対してなされ、オフ操作が行われることなく（即ち数字キーが押し込まれたまま）一定時間を経過すると、長押しモードへ移行するといった動作を示す。
【０１６５】
ステップＢ５０を経て長押しモードとなった携帯電話機１において、ＣＰＵ１０は、図１５に示すステップＢ６１以降を行う。
同図に示すように、ステップＢ６１へ移行するとＣＰＵ１０は、ＲＡＭ１８を参照して、地域コードテーブル１８３の地域コードに対応するチャンネル枠情報がチャンネル枠情報テーブル１８４に無いか否かを判別する（ステップＢ６１）。
【０１６６】
そしてＣＰＵ１０は、地域コードに対応するチャンネル枠情報がチャンネル枠情報テーブル１８４に無い場合は（ステップＢ６１：Ｙｅｓ）、後述するチャンネル枠テーブル取得処理を行って（ステップＢ６２）から、一方、地域コードに対応するチャンネル枠情報がチャンネル枠情報テーブル１８４にある場合（ステップＢ６１：Ｎｏ）はそのまま、ステップＢ６３へ移行する。これにより、地域コードテーブル１８３の更新が行われた後であったとしても、地域コードに対応するチャンネル枠情報がチャンネル枠情報テーブル１８４に取得され、携帯電話機１の現在位置に応じた各編成チャンネルのチャンネル番号が確実に特定される。
【０１６７】
次いでＣＰＵ１０は、計時部１２を制御することにより現在時刻を取得する（ステップＢ６３）。
そして、ＲＡＭ１８のＥＰＧテーブル１８２を参照し、現在時刻に対応する分までの（即ち、充分に新しい）ＥＰＧデータがないか否かを判別する（ステップＢ６４）。
【０１６８】
そしてＣＰＵ１０は、ＥＰＧテーブル１８２に充分新しいＥＰＧデータがない場合（ステップＢ６４：Ｙｅｓ）、後述するＥＰＧデータ取得処理を行って（ステップＢ６５）から、一方、充分新しいＥＰＧデータがある場合（ステップＢ６４：Ｎｏ）はそのまま、ステップＢ６６へ移行する。
【０１６９】
次いでＣＰＵ１０は、チャンネル選択画面ｘ３（図２３）のチャンネル番号入力域ｘ３２の表示数字を親チャンネル番号とする枝チャンネルで、現在時刻において放送中であるチャンネルの番号を検索する（ステップＢ６６）。
【０１７０】
この場合例えば、ＣＰＵ１０は、ＲＡＭ１８のＥＰＧテーブル１８２（図３参照。）を参照して、表示数字を親チャンネル番号とする枝チャンネルについてのＥＰＧデータを特定し、特定したＥＰＧデータの内、現在時刻が放送時間帯に含まれているＥＰＧデータを特定し、その特定したＥＰＧデータについてのチャンネル番号を、現在時刻において放送中であるチャンネルの番号として抽出する。
【０１７１】
次いでＣＰＵ１０は、ステップＢ６６で抽出（検索）したチャンネルの番号（枝チャンネル番号）から１つを選択させるチャンネル選択画面ｘ４を表示し（ステップＢ６７）、枝チャンネル番号の内の１つの枝チャンネル番号にフォーカス表示ｘ４１を施して本処理を終了する（ステップＢ６８）。
【０１７２】
このチャンネル選択画面ｘ４は、例えば図２４に示すような、ステップＢ６６で検索して得られた枝チャンネル番号を表示し、ユーザがカーソル移動によりこれら枝チャンネル番号の内の１つを選択し得るようにした画面であり、チャンネル選択画面ｘ３に替えて表示される。
【０１７３】
因みにこの場合、携帯電話機１はチャンネルモードにある状態で、かつ長押しモードにある状態で本処理を終了するから、ＣＰＵ１０は、次に本処理を開始する際、ステップＢ８１（図１７）以降を行う（図１２のステップＢ１１（Ｎｏ）→Ｂ１５（Ｎｏ）→Ｂ１８（Ｙｅｓ）→Ｂ１９（Ｙｅｓ））。
【０１７４】
ステップＢ２４を経てゼロ押下モードとなった携帯電話機１において、ＣＰＵ１０は、図１６に示すステップＢ７１以降を行う。
同図に示すように、ステップＢ７１へ移行するとＣＰＵ１０は、ＲＡＭ１８を参照して、地域コードテーブル１８３の地域コードに対応するチャンネル枠情報がチャンネル枠情報テーブル１８４に無いか否かを判別する（ステップＢ７１）。
【０１７５】
そしてＣＰＵ１０は、地域コードに対応するチャンネル枠情報が無い場合は（ステップＢ７１：Ｙｅｓ）、後述するチャンネル枠テーブル取得処理を行って（ステップＢ７２）から、一方、地域コードに対応するチャンネル枠情報がある場合は（ステップＢ７１：Ｎｏ）そのまま、ステップＢ６３へ移行する。これにより、地域コードテーブル１８３の更新が行われた後であったとしても、地域コードに対応するチャンネル枠情報がチャンネル枠情報テーブル１８４に取得され、携帯電話機１の現在位置に応じた各編成チャンネルのチャンネル番号が確実に特定される。
【０１７６】
次いでＣＰＵ１０は、計時部１２により現在時刻を取得し（ステップＢ７３）、ＥＰＧテーブル１８２を参照して、現在時刻に対応する分までの（即ち、充分に新しい）ＥＰＧデータがないか否かを判別する（ステップＢ７４）。
【０１７７】
そしてＣＰＵ１０は、充分新しいＥＰＧデータがない場合（ステップＢ７４：Ｙｅｓ）、後述するＥＰＧデータ取得処理を行って（ステップＢ７５）から、一方、充分新しいＥＰＧデータがある場合（ステップＢ７４：Ｎｏ）はそのまま、ステップＢ７６へ移行する。
【０１７８】
次いでＣＰＵ１０は、現在時刻において放送中である全チャンネルの番号を検索する（ステップＢ７６）。
この場合例えば、ＣＰＵ１０は、ＥＰＧテーブル１８２（図３参照。）を参照して、現在時刻が放送時間帯に含まれているＥＰＧデータを特定し、その特定したＥＰＧデータについてのチャンネル番号を、現在時刻において放送中であるチャンネルの番号として抽出する。
【０１７９】
次いでＣＰＵ１０は、ステップＢ７６で抽出（検索）したチャンネルの番号（全チャンネル番号）から１つを選択させるチャンネル選択画面ｘ５を表示し（ステップＢ７７）、全チャンネル番号の内の１つにフォーカス表示ｘ５１を施して本処理を終了する（ステップＢ７８）。
【０１８０】
このチャンネル選択画面ｘ５は、例えば図２５に示すような、ステップＢ７６で検索して得られた全チャンネル番号を表示し、ユーザがカーソル移動によりこれら全チャンネル番号の内の１つを選択し得るようにした画面であり、チャンネル選択画面ｘ３に替えて表示される。
【０１８１】
因みにこの場合、携帯電話機１はチャンネルモードにある状態で、かつゼロ押下モードにある状態で本処理を終了するから、ＣＰＵ１０は、次に本処理を開始する際、ステップＢ８１（図１７）以降を行う（図１２のステップＢ１１（Ｎｏ）→Ｂ１５（Ｎｏ）→Ｂ１８（Ｙｅｓ）→Ｂ１９（Ｙｅｓ））。
【０１８２】
ＣＰＵ１０は、長押しモードとなりステップＢ６１〜Ｂ６８（図１５）を行うか、又は、ゼロ押下モードとなりステップＢ７１〜Ｂ７８（図１６）を行うと、ステップＢ６６で検索して得られた枝チャンネル番号又はステップＢ７６で検索して得られた全チャンネル番号（以下、これらを併せてチャンネル番号と呼ぶ。）を表したチャンネル選択画面ｘ４（図２４）又はｘ５（図２５）を表示した状態で、図１７に示すステップＢ８１以降を行う。
【０１８３】
同図に示すように、ステップＢ８１へ移行するとＣＰＵ１０は、ユーザにより、チャンネル選択画面に表示された各チャンネル番号の内から１つのチャンネル番号が選択決定されるのを待ち受ける（以下、この待ち受けをチャンネル番号選択決定待ち受けと呼ぶ。）。
【０１８４】
即ちＣＰＵ１０は、カーソルスイッチ部５ｄへのオン操作がなされたか否かを判別し（ステップＢ８１）、なされていなければ（ステップＢ８１：Ｎｏ）決定スイッチ５ｅへのオン操作がなされたか否かを判別し（ステップＢ８５）、なされていなければ（ステップＢ８５：Ｎｏ）クリアスイッチ５ｃへのオン操作がなされたか否かを判別し（ステップＢ８９）、なされていなければ（ステップＢ８９：Ｎｏ）、ステップＢ８１へ戻る。
【０１８５】
この、チャンネル番号選択決定待ち受けにおいて、カーソルスイッチ部５ｄへのオン操作がなされると（ステップＢ８１：Ｙｅｓ）、ＣＰＵ１０はそのオン操作に係るキーの方向を判別する（ステップＢ８２）。そして押下されたキーが上キー５ｄ８である場合（ステップＢ８２：上）、フォーカス位置を上方向へ移動し（ステップＢ８３）、一方、押下されたキーが下キー５ｄ２である場合（ステップＢ８２：下）、フォーカス位置を下方向へ移動し（ステップＢ８４）、引き続きチャンネル番号選択決定待ち受けを行う。
【０１８６】
そして、このチャンネル番号選択決定待ち受けにおいて決定スイッチ５ｅへのオン操作がなされると（ステップＢ８５：Ｙｅｓ）、まずＣＰＵ１０は、フォーカス位置にあるチャンネル番号をＴＶ回路部１６のチューナ１６１へ送付（供給）する（ステップＢ８６）。これにより、ＴＶ回路部１６がそのチャンネル番号の放送波を受信する。
【０１８７】
そしてＣＰＵ１０は、チャンネル選択画面を消去し（ステップＢ８７）、ＣＨＦ、ＳＥＬＦ及びＳＥＬ０Ｆを何れも０として本処理を終了する（ステップＢ８８）。即ち、長押しモード又はゼロ押下モードである場合はそれを終了し、更にチャンネルモードを終了する。
【０１８８】
また、チャンネル番号選択決定待ち受けにおいてクリアスイッチ５ｃへのオン操作がなされると（ステップＢ８９：Ｙｅｓ）、ＣＰＵ１０は、チャンネル選択画面を消去し（ステップＢ８７）、ＣＨＦ、ＳＥＬＦ及びＳＥＬ０Ｆを何れも０として本処理を終了する（ステップＢ８８）。即ちこの場合、ＣＰＵ１０は、チャンネル番号を用いたＴＶ回路部１６の制御等を何ら行うことなく長押しモード、ゼロ押下モード及びチャンネルモードを終了することとなる。
【０１８９】
このように、本実施の形態の携帯電話機１は、長押しモードへ移行すると、表示数字により指定された親チャンネルについてチャンネル枠情報として記憶している編成チャンネルの内、所定の親チャンネルの編成チャンネルであって現在放送中である編成チャンネルのチャンネル番号を画面に一覧表示してユーザに選択させ、選択されたチャンネルの放送波を受信する動作を示す。
【０１９０】
また、本実施の形態の携帯電話機１は、ゼロ押下モードへ移行すると、チャンネル枠情報として記憶している、地域コードテーブル１８３上の地域コードに対応する編成チャンネルの内、現在放送中である編成チャンネルのチャンネル番号を画面に一覧表示してユーザに選択させ、選択されたチャンネルの放送波を受信する動作を示す。
【０１９１】
また、この長押しモード及びゼロ押下モードの何れの場合も、地域コードテーブル１８３の地域コードに対応するチャンネル枠情報がチャンネル枠情報テーブル１８４にない場合は、後述するチャンネル枠テーブル取得処理により地域コードに対応するチャンネル枠情報を取得し、また、現在放送中である編成チャンネルを特定するために必要な、現在時刻に対応する充分に新しいＥＰＧデータがＥＰＧテーブル１８２にない場合は、後述するＥＰＧデータ取得処理により新しいＥＰＧデータを取得する動作を示す。
【０１９２】
かくして本チャンネル切替処理処理においては、ＣＰＵ１０は、チャンネルモードスイッチ５ｇへのオン操作（押下）に応じて携帯電話機１をチャンネルモードへ移行し、チャンネルモードにおいて所定の処理を行い、チャンネルモードスイッチ５ｇへのオフ操作（再度の押下）に応じてチャンネルモードを終了する。
【０１９３】
そしてチャンネルモードにおいて、チャンネル番号の入力を受け付けるが、その際、０キー５ａ０が押下されると、現在放送中の全編成チャンネルのチャンネル番号を一覧表示してユーザに選択させるゼロ押下モードへ移行し、また、それ以外の数字キー（１キー５ａ１、２キー５ａ２、・・・、９キー５ａ９）が一定時間以上押し込みされ続けると、所定の親チャンネルの編成チャンネルであって現在放送中の編成チャンネルのチャンネル番号を一覧表示してユーザに選択させる長押しモードへ移行する。
【０１９４】
次に、本実施の形態のチャンネル枠テーブル取得処理について、これをフローチャートで表した図１８を用いて詳細に説明する。ＣＰＵ１０は、上述のチャンネル切替処理における必要に応じて、ＲＯＭ１９のチャンネル枠テーブル取得処理プログラム１９５を実行することにより、同図に示すチャンネル枠テーブル取得処理を行う。
【０１９５】
チャンネル枠テーブル取得処理を開始すると、まずＣＰＵ１０は、所定のネットワーク資源にアクセスする（ステップＣ５１）。具体的には、例えば、インターネット９２上に接続されたチャンネル枠情報サーバ９６が管理するチャンネル枠情報データベース９６ａにアクセスする。
【０１９６】
次いでＣＰＵ１０は、地域コードテーブル１８３の地域コードに基づいて、チャンネル枠情報サーバ９６に対してチャンネル枠情報の送付を要求し（ステップＣ５３）、チャンネル枠情報の受信を待ち受ける（ステップＣ５５）。
【０１９７】
次いでＣＰＵ１０は、こうして取得した、地域コードに対応するチャンネル枠情報をチャンネル枠情報テーブル１８４へストアし（ステップＣ５７）、ネットワークとの接続を切断する（ステップＣ５９）。
【０１９８】
かくして本処理においては、例えば各放送局により管理されるチャンネル枠情報サーバ９６からチャンネル枠情報が取得されて、チャンネル枠情報テーブル１８４へストアされる。
【０１９９】
次に、本実施の形態のＥＰＧデータ取得処理について、これをフローチャートで表した図１９を用いて詳細に説明する。ＣＰＵ１０は、上述のチャンネル切替処理における必要に応じて、ＲＯＭ１９のＥＰＧデータ取得処理プログラム１９４を実行することにより、同図に示すＥＰＧデータ取得処理を行う。
【０２００】
ＥＰＧデータ取得処理を開始すると、まずＣＰＵ１０は、所定のネットワーク資源にアクセスする（ステップＣ６１）。具体的には、例えば、インターネット９２上のＥＰＧデータサーバ９４が管理するＥＰＧデータベース９４ａにアクセスする。
【０２０１】
次いでＣＰＵ１０は、ステップＢ６３で取得した現在時刻に基づいて、ＥＰＧデータサーバ９４に対してＥＰＧデータの送付を要求し（ステップＣ６３）、ＥＰＧデータの受信を待ち受ける（ステップＣ６５）。
【０２０２】
次いでＣＰＵ１０は、こうして取得した、ＥＰＧデータをＥＰＧテーブル１８２へストアし（ステップＣ６７）、ネットワークとの接続を切断する（ステップＣ６９）。
【０２０３】
かくして本処理においては、例えば各放送局により管理されるＥＰＧデータサーバ９４からＥＰＧデータが取得されて、ＥＰＧテーブル１８２へストアされる。
【０２０４】
次に、本実施の形態の着信検知処理について、これをフローチャートで表した図２０を用いて詳細に説明する。ＣＰＵ１０は、上記の各処理の何れのステップを行っているかに関わらず、電話回路部１３によって着信を検知すると、着信検知処理プログラム１９２を実行し、着信検知に応じた割込み処理である着信検知処理を行う。
【０２０５】
着信検知処理を開始すると、まずＣＰＵ１０は、電話着信していることを表す着信画面を表示し（ステップＤ１１）、オフフックスイッチ５ｉへのオン操作がなされるまで着信報知を行う（ステップＤ１３及びＤ１５）。
【０２０６】
オフフックスイッチ５ｉへのオン操作がなされると（ステップＤ１５：Ｙｅｓ）、ＣＰＵ１０は、まず着信動作を停止し（ステップＤ１７）、ＴＶ回路部１６が起動しているならば一時停止させる（ステップＤ１９及びＤ２１）。そしてオンフックスイッチ５ｊへのオン操作がなされるまで通話の処理を行う（ステップＤ２３及びＤ２５）。
【０２０７】
ユーザが通話を終え、オンフックスイッチ５ｊへのオン操作がなされると（ステップＤ２５：Ｙｅｓ）、ＣＰＵ１０は、ＴＶ回路部１６を一時停止させていたならばこれを起動し（ステップＤ２７及びＤ２９）、終話処理を行って本処理を終了する（ステップＤ３１）。
【０２０８】
かくして本処理においては、電話回路部１３によって着信を検知すると、オフフック操作がなされてからオンフック操作がなされるまでの間通話処理を行い、これがＴＶ視聴中の着信であれば、通話処理の間、ＴＶ回路部１６が一時的に停止される。
【０２０９】
以上のように、本実施の形態の携帯電話機１によれば、チャンネル番号の入力を受け付ける際、０キー５ａ０が押下されると現在放送中の全編成チャンネルのチャンネル番号を一覧表示してユーザに選択させ、また、それ以外の数字キー（１キー５ａ１、２キー５ａ２、・・・、９キー５ａ９）が一定時間以上押し込みされ続けると現在放送中の編成チャンネルのチャンネル番号を一覧表示してユーザに選択させるようにしたことにより、ユーザが簡易な操作で現在放送中の所望の編成チャンネルを選択し、視聴し得る。
【０２１０】
この場合、一覧表示される現在放送中の編成チャンネルのチャンネル番号は、地域コード及び現在時刻に対応するＥＰＧデータに基づいており、常に有効な編成チャンネルのチャンネル番号を表示し得る。即ち、チャンネル編成が時々刻々変動する場合も、選択指定したチャンネル番号の編成チャンネルを視聴できないといったことがない。
【図面の簡単な説明】
【０２１１】
【図１】本発明の一実施の形態における地上波デジタル放送受像機付携帯電話機の外観構成を示す略線図である。
【図２】携帯電話機の回路構成を示す図である。
【図３】ＥＰＧテーブルの構成を示す図である。
【図４】地域コードテーブルの構成を示す図である。
【図５】チャンネル枠情報テーブルの構成を示す図である。
【図６】ＥＰＧテーブル、地域コードテーブル及びチャンネル枠情報テーブルの取得の説明に供する図である。
【図７】メイン処理を示すフローチャートである。
【図８】メイン処理を示すフローチャートである。
【図９】メイン処理を示すフローチャートである。
【図１０】地域コード入力処理を示すフローチャートである。
【図１１】地域コード取得処理を示すフローチャートである。
【図１２】チャンネル切替処理を示すフローチャートである。
【図１３】チャンネル切替処理を示すフローチャートである。
【図１４】チャンネル切替処理を示すフローチャートである。
【図１５】チャンネル切替処理を示すフローチャートである。
【図１６】チャンネル切替処理を示すフローチャートである。
【図１７】チャンネル切替処理を示すフローチャートである。
【図１８】チャンネル枠テーブル取得処理を示すフローチャートである。
【図１９】ＥＰＧデータ取得処理を示すフローチャートである。
【図２０】着信検知処理を示すフローチャートである。
【図２１】地域コードテーブル設定選択画面を示す図である。
【図２２】地域コードテーブル入力画面を示す図である。
【図２３】チャンネル選択画面を示す図である。
【図２４】チャンネル選択画面を示す図である。
【図２５】チャンネル選択画面を示す図である。
【符号の説明】
【０２１２】
１  携帯電話機
５ａ  数字キー部
１０  ＣＰＵ
１３  電話回路部
１４  ＧＰＳ
１６  ＴＶ回路部
１８２  ＥＰＧテーブル
１８４  チャンネル枠情報テーブル
９５  地域コードサーバ
９６  チャンネル枠情報サーバ
【図１】
2005328159.tif 000003
【図２】
2005328159.tif 000004
【図３】
2005328159.tif 000005
【図４】
2005328159.tif 000006
【図５】
2005328159.tif 000007
【図６】
2005328159.tif 000008
【図７】
2005328159.tif 000009
【図８】
2005328159.tif 000010
【図９】
2005328159.tif 000011
【図１０】
2005328159.tif 000012
【図１１】
2005328159.tif 000013
【図１２】
2005328159.tif 000014
【図１３】
2005328159.tif 000015
【図１４】
2005328159.tif 000016
【図１５】
2005328159.tif 000017
【図１６】
2005328159.tif 000018
【図１７】
2005328159.tif 000019
【図１８】
2005328159.tif 000020
【図１９】
2005328159.tif 000021
【図２０】
2005328159.tif 000022
【図２１】
2005328159.tif 000023
【図２２】
2005328159.tif 000024
【図２３】
2005328159.tif 000025
【図２４】
2005328159.tif 000026
【図２５】
2005328159.tif 000027